(57)【要約】  【課題】  簡易に守秘性を確保してデータを送信する。  【解決手段】  暗号化手段４は、送信対象データ記憶手段３に記憶された送信対象データを暗号キーを用いて暗号化する。主送信手段５は、この暗号化送信対象データを送信する。副送受信手段６は主送信手段５とは異なる伝送路でデータを送受信する。主受信手段１５は、前記暗号化送信対象データを受信する。復号化手段１４はこれを復号キーにて復号する。副送受信手段６は、前記送信対象データの送信前に、第２の端末１１の副送受信手段１６に、前記復号キーを送信する。暗号化送信対象データの復号に用いる復号キーを暗号化送信対象データを送信する主送信手段５と主受信手段１５間ではなく、別の副送受信手段６，１６間で渡すことにより、守秘性を確保できる。  【選択図】  図１
2007201791.tif 000002
【特許請求の範囲】
【請求項１】
Ａ）送信対象データを送信する第１の端末、
Ｂ）前記第１の端末から送信された送信対象データを受信する第２の端末、
を備えたデータ送受信システムであって、
Ｃ）前記第１の端末は、
c1)前記送信対象データを記憶する送信対象データ記憶手段、
c2)前記送信対象データを暗号キーを用いて暗号化する暗号化手段、
c3)前記暗号化された暗号化送信対象データを送信する主送信手段、
c4)前記主送信手段とは異なる伝送路でデータを送受信する副送受信手段、
を備え、
Ｄ）前記第２の端末は、
d1)前記第１の端末から送信された暗号化送信対象データを受信する主受信手段、
d2)前記暗号化送信対象データを復号キーを用いて復号化する復号化手段、
d3)前記第１の端末の副送受信手段とデータを伝送する副送受信手段、
を備え、
Ｅ）前記第１の端末の副送受信手段は、前記送信対象データの送信前に、前記第２の端末の副送受信手段に、前記復号キーを送信すること、
を特徴とするデータ送受信システム。
【請求項２】
送信対象データを送信する第１の端末、
前記第１の端末から送信された送信対象データを受信する第２の端末、
を備えたデータ送受信システムであって、
前記第１の端末と前記第２の端末との間には、前記送信対象データを伝送する主伝送路に加えて、前記主伝送路よりも限られた伝達可能距離または限られた伝達方向性の副伝送路が設けられており、
前記主伝送路にて伝送される守秘性確保送信対象データを前記第２の端末にて受信するための守秘性解除情報を、前記送信対象データの送信前に、前記副伝送路を用いて、前記第１の端末と前記第２の端末との間で決定すること、
を特徴とするデータ送受信システム。
【請求項３】
送信対象データを第２の端末に送信する第１の端末であって、
前記第２の端末との間には、前記送信対象データを伝送する主伝送路に加えて、前記主伝送路よりも限られた伝達可能距離または限られた伝達方向性の副伝送路が設けられており、
前記主伝送路にて伝送される守秘性確保送信対象データを前記第２の端末にて受信するための守秘性解除情報を、前記送信対象データの送信前に、前記副伝送路を用いて、前記第２の端末との間で決定すること、
を特徴とする第１の端末。
【請求項４】
第１の端末から送信された送信対象データを受信する第２の端末であって、
前記第１の端末との間には、前記送信対象データを伝送する主伝送路に加えて、前記主伝送路よりも限られた伝達可能距離または限られた伝達方向性の副伝送路が設けられており、
前記主伝送路にて前記第１の端末から伝送される守秘性確保送信対象データを受信するための守秘性解除情報を、前記送信対象データの送信前に、前記副伝送路を用いて、前記第１の端末との間で決定すること、
を特徴とする第２の端末。
【請求項５】
請求項３の第１の端末、または請求項４の第２の端末において、
前記守秘性解除情報は、暗号化処理による内容解読情報であること、
を特徴とするもの。
【請求項６】
請求項３の第１の端末、または請求項４の第２の端末において、
前記守秘性解除情報は、受信制限を解除する受信制限解除情報であること、
を特徴とするもの。
【請求項７】
請求項２のデータ送受信システムにおいて、
前記主伝送路は、ＨＴＴＰによるインターネット通信を行う伝送路であること、
を特徴とするもの。
【請求項８】
送信対象データを送信する第１の端末、
前記第１の端末から送信された送信対象データを受信する第２の端末、
を備えたデータ送受信システムであって、
前記第１の端末と前記第２の端末との間には、前記送信対象データを伝送する主伝送路に加えて、前記主伝送路よりも限られた伝達可能距離または限られた伝達方向性の副伝送路が設けられており、
前記主伝送路にて伝送される守秘性確保送信対象データを受信するための守秘性解除情報を、前記送信対象データの送信前に、前記副伝送路を用いて、前記第１の端末と前記第２の端末との間で決定し、
前記第1の端末と前記第２の端末間で、守秘性確保送信対象データを伝送すること、
を特徴とするデータ送受信システム。
【請求項９】
送信対象データを第２の端末に送信する第１の端末であって、
前記第２の端末との間には、前記送信対象データを伝送する主伝送路に加えて、前記主伝送路よりも限られた伝達可能距離または限られた伝達方向性の副伝送路が設けられており、
前記主伝送路を用いて前記第２の端末との間で前記送信対象データの守秘性を確保して伝送するにあたって、守秘性を確保するために用いる守秘性確保情報を、前記送信対象データの送信前に、前記副伝送路を用いて、前記第２の端末との間でやり取りし、
前記守秘性確保情報を用いて、送信対象データの守秘性を確保して、前記主伝送路にて前記第２の端末に伝送し、
前記第２の端末から、前記守秘性確保情報を用いて守秘性が確保された送信対象データが前記主伝送路にて伝送されると、前記守秘性確保情報に基づきこれを受信すること、
を特徴とする第１の端末。
【請求項１０】
送信対象データを送信する第１のコンピュータ、
前記第１のコンピュータから送信された送信対象データを第１の伝送路にて受信する第２のコンピュータ、
前記第２のコンピュータに前記第１の伝送路よりも限られた伝達可能距離または限られた伝達方向性の第２の伝送路でデータを送信する第３のコンピュータ、
を備えたデータ送受信システムであって、
前記第２のコンピュータは、前記第１の伝送路にて前記第１のコンピュータから伝送される守秘性確保送信対象データを受信するための守秘性解除情報を、前記第２の伝送路を介して前記第３のコンピュータから、受け取ること、
を特徴とするデータ送受信システム。
【請求項１１】
送信対象データを第１のコンピュータから受け取る第２のコンピュータであって、
前記第１のコンピュータとの間では前記送信対象データを伝送する第１の伝送路が設けられており、
第３のコンピュータとの間では、前記第１の伝送路とは異なる第２の伝送路であって、前記第１の伝送路よりも限られた伝達可能距離または限られた伝達方向性の第２の伝送路が設けられており、
前記第１の伝送路にて前記第１のコンピュータから伝送される守秘性確保送信対象データを受信するための守秘性解除情報を、前記第２の伝送路を介して前記第３のコンピュータから、受け取ること、
を特徴とする第２のコンピュータ。
【請求項１２】
送信対象データを送信する第１の端末と、前記第１の端末から送信された送信対象データを受信する第２の端末との間で、データ送受信を行う方法であって、
前記第１の端末と前記第２の端末との間に、前記送信対象データを伝送する主伝送路に加えて、前記主伝送路よりも限られた伝達可能距離または限られた伝達方向性の副伝送路を設け、
前記主伝送路にて伝送される守秘性確保送信対象データを前記第２の端末にて受信するための守秘性解除情報を、前記送信対象データの送信前に、前記副伝送路を用いて、前記第１の端末と前記第２の端末との間で決定し、
前記第１の端末から前記第２の端末へ、前記守秘性確保送信対象データを伝送すること、
を特徴とするデータ送受信方法。
【請求項１３】
送信対象データを第１の端末から第２の端末に送信するデータ送信方法であって、
前記第１の端末と前記第２の端末との間に、前記送信対象データを伝送する主伝送路に加えて、前記主伝送路よりも限られた伝達可能距離または限られた伝達方向性の副伝送路を設け、
前記主伝送路にて伝送される守秘性確保送信対象データを前記第２の端末にて受信するための守秘性解除情報を、前記送信対象データの送信前に、前記副伝送路を用いて、前記第１の端末と前記第２の端末との間で決定し、
前記前記第２の端末へ、前記守秘性確保送信対象データを伝送すること、
を特徴とするデータ送信方法。
【請求項１４】
第１の端末から送信された送信対象データを第２の端末で受信する方法であって、
前記第１の端末と前記第２の端末との間に、前記送信対象データを伝送する主伝送路に加えて、前記主伝送路よりも限られた伝達可能距離または限られた伝達方向性の副伝送路を設け、
前記主伝送路にて伝送される守秘性確保送信対象データを前記第２の端末にて受信するための守秘性解除情報を、前記送信対象データの送信前に、前記副伝送路を用いて、前記第１の端末と前記第２の端末との間で決定すること、
を特徴とするデータ受信方法。
【請求項１５】
送信対象データを第２の端末に送信する第１の端末用のプログラムであって、前記第１の端末に以下のステップを実行させるためのプログラム。
前記第２の端末との間に、前記送信対象データを伝送する主伝送路に加えて、前記主伝送路よりも限られた伝達可能距離または限られた伝達方向性の副伝送路を設けるステップ、
前記主伝送路にて伝送される守秘性確保送信対象データを前記第２の端末にて受信するための守秘性解除情報を、前記送信対象データの送信前に、前記副伝送路を用いて、前記第２の端末との間で決定するステップ。
【請求項１６】
第１の端末から送信された送信対象データを第２の端末で受信するための第２の端末用のプログラムであって、前記第２の端末に以下のステップを実行させるためのプログラム。
前記第１の端末との間に、前記送信対象データを伝送する主伝送路に加えて、前記主伝送路よりも限られた伝達可能距離または限られた伝達方向性の副伝送路を設けるステップ、
前記主伝送路にて前記第１の端末から伝送される守秘性確保送信対象データを受信するための守秘性解除情報を、前記送信対象データの送信前に、前記副伝送路を用いて、前記第１の端末との間で決定するステップ。
【請求項１７】
請求項３の第１の端末を含む携帯電話装置。
【請求項１８】
請求項３の第１の端末を含む携帯データ再生装置。
【請求項１９】
請求項４の第２の端末を含むオーディオ装置。
【請求項２０】
請求項４の第２の端末を含むカーオーディオ装置。
【請求項２１】
請求項４の第２の端末を含むパーソナルコンピュータ。
【請求項２２】
請求項４の第２の端末を含むテレビ受像器。
【請求項２３】
請求項９の第１の端末を含む無線ＬＡＮ端末。
【発明の詳細な説明】
【技術分野】
【０００１】
この発明は、データ送受信システムに関し、特に、守秘性を向上させたデータ通信路の確保に関する。
【背景技術】
【０００２】
特許文献１には、携帯電話に音楽データを配信する技術が開示されている。
【０００３】
【特許文献１】特開2004-310054号公報
【発明の開示】
【発明が解決しようとする課題】
【０００４】
携帯電話に配信済みの音楽データを、そのまま携帯電話で再生するのではなく、より音響効果の高い装置、たとえば、カーオーディオなどで再生しようとしても、当該カーオーディオに入力端子が、携帯電話に出力端子がないと接続することができない。また、かりにそのような入力端子を設けても、接続作業が繁雑である。
【０００５】
そこで、発明者は、カーオーディオに無線ＬＡＮ通信部を設けて、携帯電話の無線ＬＡＮ通信部から上記音楽データをカーオーディオに転送することを考えた。
【０００６】
しかし、この場合、当該カーオーディオを搭載した車に近隣した別の車にも、同じ規格の無線ＬＡＮ通信部が搭載されていると、当該別の車にも音楽データが伝送されるおそれがある。かかる問題を防止するために、データを暗号化することも考えられるが、暗号化キーを当該無線ＬＡＮ通信路で伝送したのでは、守秘性を確保することができず、一方、手動で暗号化キーの設定をするのは煩雑である。
【０００７】
このような問題は無線ＬＡＮだけでなく、インターネット規格でデータを伝送する場合にも、同様に問題となる。
【０００８】
この発明は、特定の送信先だけが、再生可能な状態でデータを受信することができるデータ送受信システムを提供することを目的とする。
【課題を解決するための手段】
【０００９】
１）本発明にかかるデータ送受信システムは、Ａ）送信対象データを送信する第１の端末、Ｂ）前記第１の端末から送信された送信対象データを受信する第２の端末を備えたデータ送受信システムであって、Ｃ）前記第１の端末は、c1)前記送信対象データを記憶する送信対象データ記憶手段、c2)前記送信対象データを暗号キーを用いて暗号化する暗号化手段、c3)前記暗号化された暗号化送信対象データを送信する主送信手段、c4)前記主送信手段とは異なる伝送路でデータを送受信する副送受信手段を備え、Ｄ）前記第２の端末は、d1)前記第１の端末から送信された暗号化送信対象データを受信する主受信手段、d2)前記暗号化送信対象データを復号キーを用いて復号化する復号化手段、d3)前記第１の端末の副送受信手段とデータを伝送する副送受信手段を備え、Ｅ）前記第１の端末の副送受信手段は、前記送信対象データの送信前に、前記第２の端末の副送受信手段に、前記復号キーを送信する
したがって、前記副送受信手段間で、暗号化送信対象データを復号するための情報が伝送され、主送信手段と主受信手段で形成される主伝送路では伝送されない。これにより、簡易に、守秘性が確保された伝送が可能となる。
【００１０】
２）本発明にかかるデータ送受信システムは、1)送信対象データを送信する第１の端末、2)前記第１の端末から送信された送信対象データを受信する第２の端末を備えたデータ送受信システムであって、3)前記第１の端末と前記第２の端末との間には、前記送信対象データを伝送する主伝送路に加えて、前記主伝送路よりも限られた伝達可能距離または限られた伝達方向性の副伝送路が設けられており、4)前記主伝送路にて伝送される守秘性確保送信対象データを前記第２の端末にて受信するための守秘性解除情報を、前記送信対象データの送信前に、前記副伝送路を用いて、前記第１の端末と前記第２の端末との間で決定し、決定した守秘性解除情報を用いて送信対象データを伝送し、前記守秘性確保送信対象データを伝送する。
【００１１】
したがって、前記守秘性解除情報を、前記主伝送路を用いることなく、前記第１の端末と前記第２の端末との間で決定することができる。これにより、簡易に、守秘性が確保された主伝送路による伝送が可能となる。
【００１２】
３）本発明にかかる第１の端末は、送信対象データを第２の端末に送信する第１の端末であって、1)前記第２の端末との間には、前記送信対象データを伝送する主伝送路に加えて、前記主伝送路よりも限られた伝達可能距離または限られた伝達方向性の副伝送路が設けられており、2)前記主伝送路にて伝送される守秘性確保送信対象データを前記第２の端末にて受信するための守秘性解除情報を、前記送信対象データの送信前に、前記副伝送路を用いて、前記第２の端末との間で決定し、前記守秘性確保送信対象データを伝送する。したがって、前記守秘性解除情報を、前記主伝送路を用いることなく、前記第２の端末との間で決定することができる。一方、主伝送路は守秘性確保送信対象データを伝送する。これにより、簡易に、守秘性が確保された主伝送路による伝送が可能となる。
【００１３】
４）本発明にかかる第２の端末は、第１の端末から送信された送信対象データを受信する第２の端末であって、前記第１の端末との間には、前記送信対象データを伝送する主伝送路に加えて、前記主伝送路よりも限られた伝達可能距離または限られた伝達方向性の副伝送路が設けられており、前記主伝送路にて前記第１の端末から伝送される守秘性確保送信対象データを受信するための守秘性解除情報を、前記送信対象データの送信前に、前記副伝送路を用いて、前記第１の端末との間で決定し、決定した守秘性解除情報を用いて伝送された送信対象データを受信する。したがって、前記守秘性解除情報を、前記主伝送路を用いることなく、前記第１の端末との間で決定することができる。一方、主伝送路は守秘性確保送信対象データを伝送する。これにより、簡易に、守秘性が確保された主伝送路による伝送が可能となる。
【００１４】
５）本発明にかかる第１の端末または第２の端末においては、前記守秘性解除情報は、暗号化処理による内容解読情報である。したがって、別の機器で受信されても、内容の解読ができない。
【００１５】
６）本発明にかかる第１の端末または第２の端末においては、前記守秘性解除情報は、受信制限を解除する受信制限解除情報である。したがって、別の機器での受信を制限することができる。
【００１６】
７）本発明にかかるデータ送受信システムにおいては、前記主伝送路は、ＨＴＴＰによるインターネット通信を行う伝送路である。したがって、秘匿性の低いインターネット通信であっても、守秘性を確保して送信対象データを送信することができる。
【００１７】
８）本発明にかかるデータ送受信システムにおいては、1)送信対象データを送信する第１の端末、2)前記第１の端末から送信された送信対象データを受信する第２の端末を備えたデータ送受信システムであって、3)前記第１の端末と前記第２の端末との間には、前記送信対象データを伝送する主伝送路に加えて、前記主伝送路よりも限られた伝達可能距離または限られた伝達方向性の副伝送路が設けられており、4)前記主伝送路にて伝送される守秘性確保送信対象データを受信するための守秘性解除情報を、前記送信対象データの送信前に、前記副伝送路を用いて、前記第１の端末と前記第２の端末との間で決定し、5)前記第1の端末と前記第2の端末間で、守秘性確保送信対象データを伝送する。これにより、簡易に、守秘性が確保された主伝送路による送受信が可能となる。
【００１８】
９）本発明にかかる第１の端末は、送信対象データを第２の端末に送信する第１の端末であって、前記第２の端末との間には、前記送信対象データを伝送する主伝送路に加えて、前記主伝送路よりも限られた伝達可能距離または限られた伝達方向性の副伝送路が設けられており、前記主伝送路を用いて前記第２の端末との間で前記送信対象データの守秘性を確保して伝送するにあたって、守秘性を確保するために用いる守秘性確保情報を、前記送信対象データの送信前に、前記副伝送路を用いて、前記第２の端末との間でやり取りし、前記守秘性確保情報を用いて、送信対象データの守秘性を確保して、前記主伝送路にて前記第２の端末に伝送し、前記第２の端末から、前記守秘性確保情報を用いて守秘性が確保された送信対象データが前記主伝送路にて伝送されると、前記守秘性確保情報に基づきこれを受信する。これにより、簡易に、守秘性が確保された主伝送路による送受信が可能となる。
【００１９】
１０）本発明にかかるデータ送受信システムは、1)送信対象データを送信する第１のコンピュータ、2)前記第１のコンピュータから送信された送信対象データを第１の伝送路にて受信する第２のコンピュータ、3)前記第２のコンピュータに前記第１の伝送路よりも限られた伝達可能距離または限られた伝達方向性の第２の伝送路でデータを送信する第３のコンピュータを備えたデータ送受信システムであって、4)前記第２のコンピュータは、前記第１の伝送路にて前記第１のコンピュータから伝送される守秘性確保送信対象データを受信するための守秘性解除情報を、前記第２の伝送路を介して前記第３のコンピュータから、受け取る。したがって、限られた伝達可能距離または限られた伝達方向性の第２の伝送路でデータを送信する第３のコンピュータから、前記守秘性解除情報を受け取る第2のコンピュータだけが、前記守秘性確保送信対象データを受信することができる。
【００２０】
１１）本発明にかかる第２のコンピュータは、送信対象データを第１のコンピュータから受け取る第２のコンピュータであって、前記第１のコンピュータとの間では前記送信対象データを伝送する第１の伝送路が設けられており、第３のコンピュータとの間では、前記第１の伝送路とは異なる第２の伝送路であって、前記第１の伝送路よりも限られた伝達可能距離または限られた伝達方向性の第２の伝送路が設けられており、前記第１の伝送路にて前記第１のコンピュータから伝送される守秘性確保送信対象データを受信するための守秘性解除情報を、前記第２の伝送路を介して前記第３のコンピュータから、受け取る。したがって、限られた伝達可能距離または限られた伝達方向性の第２の伝送路でデータを送信する第３のコンピュータから、前記守秘性解除情報を受け取る第2のコンピュータだけが、前記守秘性確保送信対象データを受信することができる。
【００２１】
１２）本発明にかかるデータ送受信システムは、送信対象データを送信する第１の端末と前記第１の端末から送信された送信対象データを受信する第２の端末との間で、データ送受信を行う方法であって、1)前記第１の端末と前記第２の端末との間に、前記送信対象データを伝送する主伝送路に加えて、前記主伝送路よりも限られた伝達可能距離または限られた伝達方向性の副伝送路を設け、2)前記主伝送路にて伝送される守秘性確保送信対象データを前記第２の端末にて受信するための守秘性解除情報を、前記送信対象データの送信前に、前記副伝送路を用いて、前記第１の端末と前記第２の端末との間で決定し、前記第１の端末から前記第２の端末へ、前記守秘性確保送信対象データを伝送する。したがって、前記守秘性解除情報を、前記主伝送路を用いることなく、前記第１の端末と前記第２の端末との間で決定することができる。これにより、簡易に、守秘性が確保された主伝送路による伝送が可能となる。
【００２２】
１３）本発明にかかるデータ送信方法は、送信対象データを第１の端末から第２の端末に送信するデータ送信方法であって、1)前記第１の端末と前記第２の端末との間に、前記送信対象データを伝送する主伝送路に加えて、前記主伝送路よりも限られた伝達可能距離または限られた伝達方向性の副伝送路を設け、2)前記主伝送路にて伝送される守秘性確保送信対象データを前記第２の端末にて受信するための守秘性解除情報を、前記送信対象データの送信前に、前記副伝送路を用いて、前記第１の端末と前記第２の端末との間で決定し、前記第１の端末から前記第２の端末へ、前記守秘性確保送信対象データを伝送する。したがって、前記守秘性解除情報を、前記主伝送路を用いることなく、前記第１の端末と前記第２の端末との間で決定することができる。これにより、簡易に、守秘性が確保された主伝送路による伝送が可能となる。
【００２３】
１４）本発明にかかるデータ受信方法は、第１の端末から送信された送信対象データを第２の端末で受信する方法であって、1)前記第１の端末と前記第２の端末との間に、前記送信対象データを伝送する主伝送路に加えて、前記主伝送路よりも限られた伝達可能距離または限られた伝達方向性の副伝送路を設け、2)前記主伝送路にて伝送される守秘性確保送信対象データを前記第２の端末にて受信するための守秘性解除情報を、前記送信対象データの送信前に、前記副伝送路を用いて、前記第１の端末と前記第２の端末との間で決定する。したがって、前記守秘性解除情報を、前記主伝送路を用いることなく、前記第１の端末と前記第２の端末との間で決定することができる。これにより、簡易に、守秘性が確保された主伝送路による伝送が可能となる
１５）本発明にかかるプログラムは、送信対象データを第２の端末に送信する第１の端末用のプログラムであって、前記第１の端末に以下のステップを実行させるためのプログラム。1)前記第２の端末との間に、前記送信対象データを伝送する主伝送路に加えて、前記主伝送路よりも限られた伝達可能距離または限られた伝達方向性の副伝送路を設けるステップ、2)前記主伝送路にて伝送される守秘性確保送信対象データを前記第２の端末にて受信するための守秘性解除情報を、前記送信対象データの送信前に、前記副伝送路を用いて、前記第２の端末との間で決定するステップ。したがって、前記守秘性解除情報を、前記主伝送路を用いることなく、前記第１の端末と前記第２の端末との間で決定することができる。これにより、簡易に、守秘性が確保された主伝送路による伝送が可能となる
１６）本発明にかかるプログラムは、第１の端末から送信された送信対象データを第２の端末で受信するための第２の端末用のプログラムであって、前記第２の端末に以下のステップを実行させるためのプログラム。1)前記第１の端末との間に、前記送信対象データを伝送する主伝送路に加えて、前記主伝送路よりも限られた伝達可能距離または限られた伝達方向性の副伝送路を設けるステップ、2)前記主伝送路にて前記第１の端末から伝送される守秘性確保送信対象データを受信するための守秘性解除情報を、前記送信対象データの送信前に、前記副伝送路を用いて、前記第１の端末との間で決定するステップ。したがって、前記守秘性解除情報を、前記主伝送路を用いることなく、前記第１の端末と前記第２の端末との間で決定することができる。これにより、簡易に、守秘性が確保された主伝送路による伝送が可能となる
なお、本明細書において、「守秘性解除情報」とは、受信制限を解除する情報はもちろん、受信自体は制限せず、受信データの再生のための守秘性を解除する情報も含む。「守秘性確保情報」とは、受信はできても受信データが再生できないようにする暗号化情報はもちろん、受信を制限するための情報も含み、たとえば、「送信対象データの守秘性を確保」とは、暗号化のようにデータの内容を変更する場合はもちろん、データ伝送のプロトコルなどを隠蔽して守秘性を確保する場合、登録した端末でないとデータ伝送ができないようにする場合のいずれをも含む。
【発明を実施するための最良の形態】
【００２４】
１．機能ブロック図
図１に、本件発明にかかるデータ送受信システム１０の全体構成を示す。データ送受信システム１０は、第１の端末１と第２の端末１１を備えている。
【００２５】
第１の端末１は、送信対象データを記憶する送信対象データ記憶手段３、記憶された送信対象データを暗号キーを用いて暗号化する暗号化手段４、暗号化された暗号化送信対象データを送信する主送信手段５、主送信手段５とは異なる伝送路でデータを送受信する副送受信手段６を備えている。また、副送受信手段６は、前記暗号化手段４から前記暗号化送信対象データを復号する復号キーを受け取り、前記暗号化送信対象データの送信前に、第２の端末１１に送信する。
【００２６】
第２の端末１１は、第１の端末１から送信された暗号化送信対象データを受信する主受信手段１５、前記暗号化送信対象データを復号キーを用いて復号化する復号化手段１４、第１の端末１の副送受信手段６との間でデータを伝送する副送受信手段１６を備えている。
【００２７】
このように、暗号化送信対象データの復号に用いる復号キーを暗号化送信対象データを送信する主送信手段５と主受信手段１５間ではなく、別の副送受信手段６，１６間で渡すことにより、主送信手段５と主受信手段１５で形成される主伝送路における守秘性を確保できる。
【００２８】
２．ハードウェア構成
２．１  第１の端末のハードウェア構成
図１に示すデータ送受信システム１０を、携帯電話とカーオーディオで実現した場合の、ハードウェア構成について説明する。
【００２９】
図２は、第１の端末として機能する携帯電話のハードウェア構成の一例である。携帯電話２１は、ＣＰＵ２３、メモリ２７、電話通信部２４、マイク２５，オーディオ部２６、スピーカ２８、暗号処理部３１、操作部２９、無線ＬＡＮ通信ボード３３、赤外線通信ボード３５、液晶表示部３０およびバスライン３９を備えている。ＣＰＵ２３は、メモリ２７に記憶されたプログラムにしたがいバスライン３９を介して、各部を制御する。かかるプログラムによる処理については後述する。
【００３０】
なお、上記プログラムは、予めメモリに記憶させておいたものであるが、無線ＬＡＮ通信ボード３３等から受信して、メモリ２７に記憶させるようにしてもよい。この場合、そのままインストールするだけで直接実行可能な形式はもちろん、一旦他の形態等に変換が必要なもの（例えば、データ圧縮されているものを、解凍する等）、さらには、他のモジュール部分と組み合わせて実行するようにしてもよい。
【００３１】
電話通信部２４は一般的な携帯電話の通信を行う。詳細説明は省略する。オーディオ部２６は、ＣＰＵ２３からの指示に基づき、例えば、メモリ２７に記憶された音楽データを再生し、スピーカ２８から音楽データを出力させる。暗号部３１は、ＣＰＵ２３からの命令に基づき、メモリ２７に記憶された暗号キーを用いて、与えられたデータの暗号化処理を行う。
【００３２】
操作部２９にはユーザから各種の指示が入力される。無線ＬＡＮ通信ボード３３は、無線ＬＡＮ通信を行う。赤外線通信ボード３５は赤外線通信を行う。液晶表示部３０はＣＰＵ２３から指示された表示データを表示する。
【００３３】
２．２  第２の端末のハードウェア構成
図３は、第２の端末として機能するカーオーディオ１２１のハードウェア構成の一例である。
【００３４】
カーオーディオ１２１は、ＣＰＵ１２３、メモリ１２７、オーディオ部１２６、スピーカ１２８、復号処理部１３１、操作部１２９、無線ＬＡＮ通信ボード１３３、赤外線通信ボード１３５、液晶表示部１３０およびバスライン１３９を備えている。ＣＰＵ１２３は、メモリ１２７に記憶されたプログラムにしたがいバスライン１３９を介して、各部を制御する。かかるプログラムによる処理については後述する。
【００３５】
なお、上記プログラムは、予めメモリ１２７に記憶させておいたものであるが、無線ＬＡＮ通信ボード１３３等から受信して、メモリ１２７に記憶させるようにしてもよい。この場合、そのままインストールするだけで直接実行可能な形式はもちろん、一旦他の形態等に変換が必要なもの（例えば、データ圧縮されているものを、解凍する等）、さらには、他のモジュール部分と組み合わせて実行するようにしてもよい。
【００３６】
オーディオ部１２６は、カーオーディオのオーディオ処理を行う。たとえば、ＣＰＵ１２３からの指示に基づき、メモリ１２７に記憶された音楽データを再生し、スピーカ１２８から音楽データを出力させる。なお、本実施形態においては、ストリーミング送信された音楽データを再生することもできる。復号処理部１３１は、ＣＰＵ１２３からの命令に基づき、メモリ１２７に記憶された復号キーを用いて、与えられたデータを復号化処理する。
【００３７】
操作部１２９にはユーザから各種の指示が入力される。無線ＬＡＮ通信ボード１３３は、無線ＬＡＮ通信を行う。赤外線通信ボード１３５は赤外線通信を行う。液晶表示部１３０はＣＰＵ１２３から指示された表示データを表示する。
【００３８】
３．プログラムについて
図４を用いて、携帯電話２１とカーオーディオ１２１間におけるデータ伝送処理について説明する。この例では、携帯電話２１に記憶された音楽データを、ストリーミング送信し、カーオーディオのスピーカから出力する場合について説明する。
【００３９】
まず、ユーザは、携帯電話２１とカーオーディオ１２１間で赤外線通信が可能な状態にするために、携帯電話２１とカーオーディオ１２１の赤外線通信部同士を対向させる。この状態で、ユーザが携帯電話の送信開始ボタン(図示せず）を選択すると、図４に示すプログラムが起動し、携帯電話２１のＣＰＵ２３は、赤外線通信ボード３５から、セッション接続要請を送信する（ステップＳ１）。その際、復号化キーとしてとして、メモリ２７に記憶した暗号化キーに対応する公開鍵を送信する。
【００４０】
カーオーディオ１２１のＣＰＵ１２３は、電源が投入されると、図４に示すプログラムが起動しており、赤外線通信ボード１３５にて、セッション接続要請を受信するかを判断している（ステップＳ１１）ので、セッション接続要請があると、この要請とともに送信された公開鍵を、復号キーとしてメモリ１２７に記憶し（ステップＳ１３）、赤外線通信ボード１３５から返信を行う（ステップＳ１５）。
【００４１】
携帯電話２１のＣＰＵ２３は、返信を受信するか否か判断しており（ステップＳ３）、返信を受信すると、送信対象データを暗号化して無線ＬＡＮ通信ボード３３から、ストリーミング送信を行う（ステップＳ５）。具体的には、ＣＰＵ２３は、暗号化処理部３１にメモリ２７に記憶した送信対象データを与える。暗号化処理部３１はメモリ２７に記憶した暗号キーを用いて、送信対象データを暗号化処理する。暗号化された暗号化送信対象データは無線ＬＡＮ通信ボード３３からストリーミング送信される。
【００４２】
カーオーディオ１２１のＣＰＵ１２３は、無線ＬＡＮ通信ボード１３３にて、データ受信するかを判断している（ステップＳ１７）ので、データを受信すると、これを復号化して、再生する（ステップＳ１９）。具体的には、ＣＰＵ１２３は、受け取ったデータを復号化処理部１３１に与える。復号化処理部１３１はメモリ１２７に記憶された復号キーを用いて復号処理を行う。復号されたデータはオーディオ部１２６に与えられ、スピーカ１２８から出力される。
【００４３】
携帯電話２１のＣＰＵ２３は、送信対象データの最後まで送ったか否か判断し（ステップＳ７）、終了と判断すると、無線ＬＡＮ通信ボード３３から切断要請を行う（ステップＳ９）。カーオーディオ１２１のＣＰＵ１２３は、無線ＬＡＮ通信ボード１３３にて、切断要請を受信するかを判断している（ステップＳ２１）おり、切断要請を受け取ると切断して、終了する。
【００４４】
本実施形態においては、無線LAN通信路には暗号化されたデータが伝送され、これを復号するための復号キーは、赤外線通信路でやり取りされる。したがって、守秘性の高い送信が可能となる。
【００４５】
このようにして、送信先の機器が複数あり、かつ、特定した端末だけに送ることが困難な通信路（無線ＬＡＮ通信のような場合）であっても、別途、距離性および伝達方向性が制限された副伝送路を設けることにより、ユーザは、両者を近づけてプログラムを起動するだけで、暗号化された送信対象データが送信され、受信側で復号ができる。したがって、簡単、かつ確実に、特定した送信先で再生されるようにデータを送信することができる。
【００４６】
なお、赤外線通信は、上記のように距離性および伝達方向性が制限されているので、送信対象データも赤外線通信路で送信すれば、守秘性の高いデータ伝送が可能とも考えられる。しかし、赤外線通信路は通信部を対向していないと通信ができず、また、伝達可能距離も短い。すなわち、通信が確保される状態で、端末同士を保持しつづけないとデータ通信ができない。これに対して、上記実施形態においては、一旦、復号キーを送信した後は、そのような制限のない無線ＬＡＮ通信路によって、データ伝送が可能となる。特に、再生している間中、通信するような送信形式を取る場合には、メリットが大きい。これにより、簡易なやり方で秘匿性を保つことが可能となる。
【００４７】
４．他の実施形態
上記実施形態においては、第１のコンピュータと第２のコンピュータ間で、直接的に前記主伝送路と副伝送路を有している場合について説明した。しかし、これに限定されず、図５に示すような第３のコンピュータを介して、守秘性確保したデータ伝送を可能とするようにしてもよい。図５においては、サーバ８１が第１のコンピュータで、パソコン８２が第２のコンピュータで、携帯電話８３が第３の端末である。携帯電話８３は課金可能なＩＣカードを内蔵する。携帯電話８３とパソコン８２は、赤外線通信が可能である。ユーザはまず、サーバ８１との間で携帯電話８３を用いて個人認証を行う。個人認証情報は赤外線通信にて、パソコン８２に送られる。パソコン８２はかかる個人認証情報を用いて、サーバ８１と暗号化したデータ通信を行う。
【００４８】
また、図５においては、１対１の通信を行う場合について説明したが、図６に示すように、放送局８６からの放送を、テレビ８７ａ、８７ｂにて受信する場合に、携帯電話８８から個人認証ができたテレビだけで、受信できるようにする、１対多の放送の場合についても同様に適用することができる。
【００４９】
また、図７に示すように、パソコン９２ａ、パソコン９２ｂ間でチャットを行う場合に、それぞれの個人認証を携帯９３ａ、９３ｂにておこなうようにしてもよい。この場合は双方向となる。
【００５０】
また、上記実施形態においては、携帯電話２１から復号する際の復号キーを送信するようにしたが、要請を受け取ったカーオーディオ１２１から暗号キーを送り、これを用いて、携帯電話２１にて暗号化処理を行うようにしてもよい。
【００５１】
上記実施形態においては、送信対象データが決定されている場合について説明したが、これが複数ある場合、いずれかを選択すると、図４の処理が開始するようにしてもよい。これにより、ユーザは、送信対象のデータを選択するだけで、秘匿性を確保しつつ、データ伝送が可能となる。
【００５２】
上記実施形態においては、副通信路として、限られた伝達可能距離および限られた伝達方向性のある赤外線通信路を用いて、特定の機器間で守秘性確保送信のための対象データを伝送した。しかし、伝達可能距離が限られた通信路、または伝達方向性が限られた通信路であってもよい。たとえば、方向性は無くても、距離的に数センチ程度まで近づけないとデータ送信ができないような無線通信を用いてもよい。また、電波以外でも、音波を用いるようにしてもよい。また、無線だけでなく、有線であってもよい。この場合でも、一旦、主伝送路の守秘性確保情報を伝達後は、線の接続を解除し、主伝送路によるデータ伝送が可能となる。
【００５３】
また、副送受信路で送るのは、守秘性を解除するための情報であるので、送信対象データと比べて、データ量も小さい。したがって、主送受信路と比べて、簡易なプロトコルまたはデータ転送速度が低いようなものでもよい。よって、副伝送路を設けるコストもそれ程アップしない。
【００５４】
上記実施形態においては、送信対象データをストリーミング送信する場合について説明したが、ファイルとして送っておき、受信側でこれを解凍再生するようにしてもよい。また、ファイルとして送信する場合は、これが受信側にて削除しない限り存在するおそれがあるので、所定時間経過すると、再生不可や、自動削除とあるようにしてもよい。
【００５５】
上記実施形態においては、送信対象データとして、音楽データである場合について説明したが、画像データ（動画、静止画）、プログラム、プログラムに用いるデータ（キャラクタデータ、その衣装データ、武器データなど）についても同様に適用することができる。
【００５６】
本実施形態においては、守秘性解除情報として復号キーを採用する場合について説明したが、守秘性解除情報としては、内容を読めなくするという暗号化以外に、ネットワークへの接続を禁止するようにしてもよい。たとえば、ESS-IDの隠蔽、MACアドレスの制限などである。特に、後者の場合には、受信側（この例では、カーオーディオ側）で、送信機器のＩＤを登録し、登録されていない機器からは受信ができないような規格としておくことにより、同様の効果を得られる。
【００５７】
また、上記実施形態においては、主送受信路としては無線である場合について説明したが、データの秘匿性が担保されない通信規格（たとえばhttpなど）の場合についても同様に適用できる。この場合は、守秘性を担保するために暗号処理をおこなうようにすればよい。
【００５８】
また、上記実施形態においては送信側で携帯電話を、受信側でカーオーディオを採用してデータ伝送する場合について説明したが、送信側としては、簡易なデータ再生機器として、携帯再生機器（ＭＰ３プレイヤーなど）でもよく、また、受信側では、オーディオ機器、パーソナルコンピュータ、テレビ受像器などにも採用することができる。
【００５９】
また、双方向の例としては、携帯ゲーム機や、無線ＬＡＮ端末などにも採用することができる。
【００６０】
上記実施形態においては、予め暗号キーや復号キーを記憶させている場合について説明したが、これらについては動的に生成してもよく、また、キー自体を伝送せず、キーを特定する間接情報（キーを生成する情報等、複数のキーのうち、いずれを使用するのかを特定するキー特定情報）をやり取りするようにしてもよい。すなわち、従来の暗号化・復号化の、いずれを採用するようにしてもよい。
【００６１】
上記実施形態においては、暗号化および複合化を別途設けているが、暗号化、復号化を行うプログラムをもちいてＣＰＵ２３，１２３に実行させるようにしてもよい。
【００６２】
本発明は、以下のような構成のシステム又は端末として把握することもできる。  送信対象データを送信する第１の端末、
前記第１の端末から送信された送信対象データを受信する第２の端末、
を備えたデータ送受信システムであって、
前記第１の端末と前記第２の端末との間で、前記送信対象データを伝送する主伝送路を確保する手段、
前記第１の端末と前記第２の端末との間で、前記主伝送路よりも限られた伝達可能距離または限られた伝達方向性の副伝送路を確保する手段、
前記主伝送路にて伝送される守秘性確保送信対象データを前記第２の端末にて受信するための守秘性解除情報を、前記送信対象データの送信前に、前記副伝送路を用いて、前記第１の端末と前記第２の端末との間で決定する守秘性解除情報決定手段、
を備えたことを特徴とするデータ送受信システム。
【００６３】
送信対象データを第２の端末に送信する第１の端末であって、
前記第２の端末との間で、前記送信対象データを伝送する主伝送路を確保する手段、
前記第２の端末との間で、前記主伝送路よりも限られた伝達可能距離または限られた伝達方向性の副伝送路を確保する手段、
前記主伝送路にて伝送される守秘性確保送信対象データを前記第２の端末にて受信するための守秘性解除情報を、前記送信対象データの送信前に、前記副伝送路を用いて、前記第２の端末との間で決定する決定手段、
を備えた第１の端末。
【００６４】
第１の端末から送信された送信対象データを受信する第２の端末であって、
前記第１の端末との間で、前記送信対象データを伝送する主伝送路を確保する手段、
前記第１の端末との間で、前記主伝送路よりも限られた伝達可能距離または限られた伝達方向性の副伝送路を確保する手段、
前記主伝送路にて伝送される守秘性確保送信対象データを受信するための守秘性解除情報を、前記送信対象データの送信前に、前記副伝送路を用いて、前記第１の端末との間で決定する決定手段、
を備えた第２の端末。
【００６５】
また前記副伝送路が、前記主伝送路よりも限られた伝達方向性の副伝送路であり、かつ、前記主伝送路よりも転送速度が低い場合には、必要とされる最小限の特性を持つ副伝送路にて、守秘性が確保された主伝送路による伝送が可能となる。また、前記副伝送路が、前記主伝送路よりも小さな伝達可能距離を有する伝送路で、かつ、前記主伝送路よりも転送速度が低い場合には、必要とされる最小限の特性を持つ副伝送路にて、守秘性が確保された主伝送路による伝送が可能となる。
【００６６】
また、前記主伝送路および副伝送路の確保は、いずれかの端末からの能動的処理に基づき、他方が受動的処理を行うことにより確保される場合を含む。守秘性解除情報の決定についても同様である。たとえば、上記実施形態においては、第１の端末にてあらかじめ記憶されている復号キーを第２の端末に送信するようにしたが、第１の端末からの問いあわせに対して、第２の端末にてあらかじめ記憶されている復号キーに対応する暗号キーを第１の端末に送信するようにしてもよい。このように、守秘性確保送信対象データを受信するための守秘性解除情報は、前記第１の端末と第２の端末の間で決定さえできれば、その手法については限定されない。
【００６７】
上記実施形態においては、図１に示す機能を実現する為に、ＣＰＵを用い、ソフトウェアによってこれを実現している。しかし、その一部もしくは全てを、ロジック回路等のハードウェアによって実現してもよい。
【００６８】
なお、上記プログラムの一部の処理をオペレーティングシステム（ＯＳ）にさせるようにしてもよい。
【図面の簡単な説明】
【００６９】
【図１】本発明にかかるデータ送受信システム１の機能ブロック図である。
【図２】図１に示すデータ送受信システム１の第１の機器をＣＰＵを用いて実現したハードウェア構成の一例を示す図である。
【図３】図１に示すデータ送受信システム１の第２の機器をＣＰＵを用いて実現したハードウェア構成の一例を示す図である。
【図４】フローチャートである。
【図５】第３のコンピュータを介して、秘密解除情報を送信する実施形態の概要を示す図である。
【図６】第１のコンピュータから第２のコンピュータへ放送で送信する実施形態の概要を示す図である。
【図７】サーバを介して、チャットをする場合の実施形態の概要を示す図である。
【符号の説明】
【００７０】
１・・・・データ送受信システム
２１・・・携帯電話
２３・・・ＣＰＵ
２７・・・メモリ
３１・・・暗号化処理部
３３・・・無線ＬＡＮ通信ボード
３５・・・赤外線通信ボード
１２１・・カーオーディオ
１２３・・・ＣＰＵ
１２７・・・メモリ
１３１・・・復号化処理部
１３３・・・無線ＬＡＮ通信ボード
１３５・・・赤外線通信ボード
【図１】
2007201791.tif 000003
【図２】
2007201791.tif 000004
【図３】
2007201791.tif 000005
【図４】
2007201791.tif 000006
【図５】
2007201791.tif 000007
【図６】
2007201791.tif 000008
【図７】
2007201791.tif 000009